(57)【要約】【課題】ブラケットを固定部に、より確実に取付け固定する。【解決手段】ブラケットの差し込み部は、先端部では回転防止用孔の幅より狭く、付け根部では回転防止用孔の幅より広く、先端部から付け根部に向けて滑らかに広くなるようにテーパ―状に形成されている。このため、先端部では固定部の回転防止用孔の幅より狭く、付け根部では回転防止用孔の幅より広く、先端部から付け根部に向けて滑らかに広くなるようにテーパ―状に形成されている。このため、差し込み部の幅が回転防止用孔の幅と一致するところで差し込み部が回転防止用孔に隙間なく固定されるから、差し込み部のがたつきを抑制することができる。この結果、ブラケットの回転を抑制でき、ボルトが緩むことを抑制することができる。【選択図】図４
2017031988.tif 000002
【特許請求の範囲】
【請求項１】
ブラケットを固定部に取り付けるブラケットの取り付け構造であって、
前記固定部には、前記ブラケットを取り付けるための固定用ボルト孔と、前記ブラケットの回転を防止するための孔または突起からなる回転防止部と、が形成されており、
前記ブラケットには、取付用ボルト孔と、前記取付用ボルト孔を前記固定用ボルト孔に整合させたときに前記回転防止部に差し込むか前記回転防止部を挟み込むかにより前記回転防止部に係合する係合部と、が形成されており、
前記係合部は、前記回転防止部と係合する際、先端部から付け根部に向けて係合幅が前記回転防止部に対して非接触の状態から接触の状態となるように滑らかに変化するように形成されている、
ことを特徴とするブラケットの取り付け構造。
【発明の詳細な説明】
【技術分野】
【０００１】
本発明は、ブラケットの取り付け構造に関する。
【背景技術】
【０００２】
従来、この種のブラケットの取り付け構造としては、車両に搭載されたモータとインバータとを接続する高電圧線を固定するブラケットを車両の骨格部材に取り付けるものが提案されている（例えば、特許文献１参照）。このブラケットの取り付け構造は、車両が前方に向かって衝突して車両骨格部材が変形する際に、高電圧線が車両骨格部材とインバータとの間に挟まれて切断されることがないように、ブラケット，インバータ，高電圧線を車両骨格部材の変形に追従して変形するように形成している。
【先行技術文献】
【特許文献】
【０００３】
【特許文献１】特開２００５−２６２８９４号公報
【発明の概要】
【発明が解決しようとする課題】
【０００４】
従来のブラケットの取り付け構造では、ブラケットを固定部に固定するためにボルトを用いており、部品点数を少なくするために、ボルトの個数を１つにしているものがある。ボルト１つで固定する場合、ボルトを回転軸としてブラケットの回転が生じる場合がある。このため、ブラケットの回転を抑制するために、固定部に、固定用ボルト孔とは異なる位置に回転防止用孔を設けると共に、ブラケットに、取付用ボルト孔を固定用ボルト孔に整合させたときに回転防止用孔に差し込む差し込み部を設け、差し込み部を回転防止用孔に差し込むものも提案されている。しかし、この場合、差し込み部と回転防止用孔との間の隙間により、差し込み部にがたつきが発生したり、そのがたつきによるブラケットの回転によってボルトが緩んだりするなどの不都合が生じることがある。
【０００５】
本発明のブラケットの取り付け構造は、ブラケットを固定部に、より確実に取り付け固定することを主目的とする。
【課題を解決するための手段】
【０００６】
本発明のブラケットの取り付け構造は、上述の主目的を達成するために以下の手段を採った。
【０００７】
本発明のブラケットの取り付け構造は、
ブラケットを固定部に取り付けるブラケットの取り付け構造であって、
前記固定部には、前記ブラケットを取り付けるための固定用ボルト孔と、前記ブラケットの回転を防止するための孔または突起からなる回転防止部と、が形成されており、
前記ブラケットには、取付用ボルト孔と、前記取付用ボルト孔を前記固定用ボルト孔に整合させたときに前記回転防止部に差し込むか前記回転防止部を挟み込むかにより前記回転防止部に係合する係合部と、が形成されており、
前記係合部は、前記回転防止部と係合する際、先端部から付け根部に向けて係合幅が前記回転防止部に対して非接触の状態から接触の状態となるように滑らかに変化するように形成されている、
ことを特徴とする。
【０００８】
本発明のブラケットの取り付け構造では、固定部には、ブラケットを取り付けるための固定用ボルト孔と、ブラケットの回転を防止するための孔または突起からなる回転防止部と、が形成されている。一方、ブラケットには、取付用ボルト孔と、取付用ボルト孔を固定用ボルト孔に整合させたときに回転防止部に差し込むか回転防止部を挟み込むかにより回転防止部に係合する係合部と、が形成されている。ブラケットは、固定用ボルト孔と取付用ボルト孔とを整合させると共に回転防止部に係合部を係合した状態で、ボルトにより締結される。係合部は、回転防止部に係合する際、先端部から付け根部に向けて係合幅が回転防止部に対して非接触の状態から接触の状態となるように滑らかに変化するように形成されているため、回転防止部に係合部を係合する際、係合部は回転防止部に隙間なく固定され、係合部のがたつきを抑制することができ、この結果、ブラケットが回転してボルトが緩むことを抑制することができる。したがって、ブラケットを固定部に、より確実に取付け固定することができる。なお、ブラケットは、ケーブル類や各機器などを支持または固定するために用いられる。
【０００９】
こうした本発明のブラケットの取り付け構造において、前記回転防止部は、回転防止用孔であり、前記係合部は、前記回転防止用孔に差し込む差し込み部であり、更に、前記係合部は、先端部の幅が前記回転防止部の幅より狭く、付け根部の幅が前記回転防止部の幅より広く、前記先端部から前記付け根部に向けて幅が滑らかに広くなるように形成されているものとしてもよい。更に、この場合、前記係合部には、先端部から付け根部に向かってスリットが設けられているものとしてもよい。こうすることにより、係合部を回転防止部に差し込むとスリットが狭くなるように係合部のスリットの両側の脚部が変形する。そして、変形した脚部が元の形状に戻ろうとする力により、より強く係合部が回転防止部に固定される。したがって、ブラケットを固定部に、より確実に取り付け固定することができる。
【００１０】
また、本発明のブラケットの取り付け構造において、前記回転防止部は、回転防止用突起であり、前記係合部は、前記回転防止用突起を挟み込む挟み込み部であり、更に、前記係合部は、先端部の開口幅が前記回転防止部の幅より広く、付け根部の開口幅が前記回転防止部の幅より狭く、前記先端部から前記付け根部に向けて開口幅が滑らかに狭くなるように形成されているものとしてもよい。
【図面の簡単な説明】
【００１１】
【図１】本発明の第１実施例としてのブラケット２０の取り付け構造に用いるブラケット２０の構成の概略を示す構成図である。
【図２】ブラケット２０が固定部３０に取り付けられている様子を示す説明図である。
【図３】図２のＡ−Ａ断面を示す断面図である。
【図４】図２のＢ−Ｂ断面を示す断面図である。
【図５】第１実施例の変形例としてのブラケット２０Ｂの一部を拡大した拡大図である。
【図６】本発明の第２実施例としてのブラケット１２０の取り付け構造に用いるブラケット１２０の構成の概略を示す構成図である。
【図７】ブラケット１２０が固定部１３０に取り付けられている様子を示す説明図である。
【図８】図７のＣ−Ｃ断面を示す断面図である。
【図９】図７のＤ−Ｄ断面を示す断面図である。
【発明を実施するための形態】
【００１２】
次に、本発明を実施するための形態を実施例を用いて説明する。
【実施例１】
【００１３】
図１は、本発明の第１実施例としてのブラケット２０の取り付け構造に用いるブラケット２０の構成の概略を示す構成図である。図２は、ブラケット２０が固定部３０に取り付けられている様子を説明する説明図である。図３は、図２のＡ−Ａ断面を示す断面図である。図４は、図２のＢ−Ｂ断面を示す断面図である。第１実施例のブラケット２０の取り付け構造は、電力ケーブルなどの対象部材を支持するためのブラケット２０を固定部３０に取り付ける構造である。
【００１４】
図２，図３に示すように、固定部３０は、金属などの剛性を備える素材により板状に形成されており、ブラケット２０を取付けるための固定用ボルト孔３３と、ブラケット２０の回転を防止するための回転防止用孔３６と、を有する。回転防止用孔３６は、一例として矩形型に形成されている。
【００１５】
ブラケット２０は、対象部材を支持するための支持具であり、金属などの剛性を備える素材により形成されている。図１〜図４に示すように、ブラケット２０は、支持部２１と、平面部２２と、湾曲部２４と、差し込み部２６と、を有する。支持部２１は、対象部材を支持できる形状に形成されている。平面部２２は、固定部３０の固定用ボルト孔３３と同一形状の取付用ボルト孔２３を有する。湾曲部２４は、ブラケット２０の平面部２２から延伸しており、図４の上側方向に凸となるように湾曲し、差し込み部２６の付け根部と滑らかにつながっている。差し込み部２６は、固定部３０の回転防止用孔３６に差し込まれる突起であり、取付用ボルト孔２３を固定用ボルト孔３３に整合させたときに固定部３０の回転防止用孔３６に差し込むことが可能な位置に形成されている。また、差し込み部２６は、先端部が図４の下側方向に向かって伸びており、側面２６ａと側面２６ｂとの間の幅（図４の左右方向の幅）が、先端部では回転防止用孔３６の幅より狭く、付け根部では回転防止用孔３６の幅より広く、先端部から付け根部に向けて滑らかに広くなるようにテーパ―状に形成されている。上述したように、差し込み部２６の付け根部は、湾曲部２４と滑らかにつながっている。
【００１６】
ブラケット２０は、取付用ボルト孔２３と固定部３０の固定用ボルト孔３３とを整合させると共に差し込み部２６を回転防止用孔３６に差し込んだ状態で、ボルト４１，ワッシャー４２，ナット４３により固定部３０に締結される。このとき、差し込み部２６はテーパ―状に形成されているため、図４に示すように、差し込み部２６は、側面２６ａと側面２６ｂとの間の幅が回転防止用孔３６の幅と一致するところで差し込み部２６の側面２６６ａ，２６ｂが回転防止用孔３６の縁に当接して隙間なく固定される。これにより差し込み部２６のがたつきを抑制することができる。この結果、ブラケット２０の回転を抑止でき、ボルト４１が緩むことを抑制することができる。また、ブラケット２０には湾曲部２４が形成されているため、差し込み部２６を回転防止用孔３６に差し込む際に、長さに余裕があり、差し込み部２６が回転防止用孔３６に隙間なく固定されるまで、差し込み部２６を回転防止用孔３６に強く差し込むことができる。更に、ボルト４１を回転軸としてブラケット２０に回転する力が生じる際に、湾曲部２４に力が加わり、湾曲部２４よりも平面部２２側に力が伝わるのを抑制することができる。
【００１７】
本発明の第１実施例としてのブラケット２０の取り付け構造では、差し込み部２６は、側面２６ａと側面２６ｂとの間の幅が回転防止用孔３６の幅と一致するところで差し込み部２６の側面２６ａ，２６ｂが回転防止用孔３６の縁に当接して隙間なく固定されるから、差し込み部２６のがたつきを抑制することができる。この結果、ブラケット２０の回転を抑止でき、ボルト４１が緩むことを抑制することができる。したがって、ブラケット２０を固定部３０に、より確実に取り付け固定することができる。また、ブラケット２０には湾曲部２４が形成されているため、差し込み部２６が回転防止用孔３６に隙間なく固定されるまで、差し込み部２６を回転防止用孔３６に強く差し込むことができる。更に、ボルト４１を回転軸としてブラケット２０に回転する力が生じる際に、湾曲部２４に力が加わり、湾曲部２４よりも平面部２２側に力が伝わるのを抑制することができる。
【００１８】
第１実施例のブラケット２０の取り付け構造では、差し込み部２６をテーパ―状に形成するものとしたが、差し込み部２６に代えて、図５の変形例のブラケット２０Ｂの差し込み部２６Ｂのように、テーパー状に形成すると共に、側面２６ａ，２６ｂの間に先端部から付け根部に向かってスリット２８を有するものとしてもよい。この場合、差し込み部２６Ｂを回転防止用孔３６に差し込むと、スリット２８が狭くなるように差し込み部２６Ｂのスリット２８の両側の脚部２８ａ，２８ｂが変形する。そして、変形した差し込み部２６Ｂの脚部２８ａ，２８ｂが元の形状に戻ろうとする力により、より強く差し込み部２６Ｂが回転防止用孔３６に固定される。したがって、ブラケット２０を固定部３０に、より確実に取り付け固定することができる。なお、ブラケット２０Ｂは、差し込み部２６Ｂ以外はブラケット２０と同様に形成されている。
【実施例２】
【００１９】
図６は、本発明の第２実施例としてのブラケット１２０の取り付け構造に用いるブラケット１２０の構成の概略を示す構成図である。図７は、ブラケット１２０が固定部１３０に取り付けられている様子を説明する説明図である。図８は、図７のＣ−Ｃ断面を示す断面図である。図９は、図７のＤ−Ｄ断面を示す断面図である。第２実施例のブラケット１２０の取り付け構造は、電力ケーブルなどの対象部材を支持するためのブラケット１２０を固定部１３０に取り付ける構造である。
【００２０】
図７，図８に示すように、固定部１３０は、金属などの剛性を備える素材により板状に形成されており、ブラケット１２０を取付けるための固定用ボルト孔１３３と、ブラケット１２０の回転を防止するための回転防止用突起１３６と、を有する。
【００２１】
ブラケット１２０は、対象部材を支持するための支持具であり、金属などの剛性を備える素材により形成されている。図６〜図９に示すように、ブラケット１２０は、支持部１２１と、平面部１２２と、湾曲部１２４と、挟み込み部１２６と、を有する。支持部１２１は、対象部材を支持できる形状に形成されている。平面部１２２は、固定部１３０の固定用ボルト孔１３３と同一形状の取付用ボルト孔１２３を有する。湾曲部１２４は、第１湾曲部１２４ａおよび第２湾曲部１２４ｂからなり、それぞれブラケット１２０の平面図１２２から延伸しており、図８の上側方向に凸となるように湾曲し、挟み込み部１２６の突起１２６ａ，１２６ｂと滑らかにつながっている。挟み込み部１２６は、突起１２６ａ，１２６ｂからなり、固定部１３０の回転防止用突起１３４を挟み込むために形成されている。挟み込み部１２６は、取付用ボルト孔１２３を固定用ボルト孔１３３に整合させたときに固定部１３０の回転防止用突起１３６を挟み込むことが可能な位置に形成されている。突起１２６ａと突起１２６ｂとの間の幅は、先端部では回転防止用突起１３６の幅より広く、付け根部では回転防止用突起１３６の幅より狭く、先端部から付け根部に向けて滑らかに狭くなるように形成されている。上述したように、挟み込み部１２６の突起１２６ａ，１２６ｂは、それぞれ第１，第２湾曲部１２４ａ，１２４ｂと滑らかにつながっている。
【００２２】
ブラケット１２０は、取付用ボルト孔１２３と固定部１３０の固定用ボルト孔１３３とを整合させると共に挟み込み部１２６で回転防止用突起１３６を挟み込んだ状態で、ボルト１４１，ワッシャー１４２，ナット１４３により固定部１３０に締結される。このとき、挟み込み部１２６の突起１２６ａと突起１２６ｂとの間の幅が先端部では回転防止用突起１３６の幅より広く、付け根部では回転防止用突起１３６の幅より狭く、先端部から付け根部に向けて滑らかに狭くなるように形成されているため、図９に示すように、挟み込み部１２６の突起１２６ａと突起１２６ｂとの間の幅が回転防止用突起１３６の幅と一致するところで隙間なく固定される。これにより、挟み込み部１２６のがたつきを抑制することができる。この結果、ブラケット１２０の回転を抑制でき、ボルト１４１が緩むことを抑制することができる。また、ブラケット１２０には第１湾曲部１２４ａおよび第２湾曲部１２４ｂが形成されているため、挟み込み部１２６が回転防止用突起１３６を挟み込む際に、挟み込み部１２６が回転防止用突起１３６に隙間なく固定されるまで、挟み込み部１２６は回転防止用突起１３６を強く挟み込むことができる。更に、ボルト１４１を回転軸としてブラケット１２０に回転する力が生じる際に、湾曲部１２４に力が加わり、湾曲部１２４よりも平面部１２２側に力が伝わるのを抑制することができる。
【００２３】
本発明の第２実施例としてのブラケット１２０の取り付け構造では、挟み込み部１２６の突起１２６ａと突起１２６ｂとの間の幅が先端部では回転防止用突起１３６の幅より広く、付け根部では回転防止用突起１３６の幅より狭く、先端部から付け根部に向けて滑らかに狭くなるように形成されているため、挟み込み部１２６の突起１２６ａと突起１２６ｂとの間の幅が回転防止用突起１３６の幅と一致するところで隙間なく固定されるから、挟み込み部１２６のがたつきを抑制することができる。この結果、ブラケット１２０の回転を抑制でき、ボルト１４１が緩むことを抑制することができる。したがって、ブラケット１２０を固定部１３０に、より確実に取り付け固定することができる。また、ブラケット１２０には第１湾曲部１２４ａおよび第２湾曲部１２４ｂが形成されているため、挟み込み部１２６が回転防止用突起１３６に隙間なく固定されるまで、挟み込み部１２６は回転防止用突起１３６を強く挟み込むことができる。更に、ボルト１４１を回転軸としてブラケット１２０に回転する力が生じる際に、湾曲部１２４に力が加わり、湾曲部１２４よりも平面部１２２側に力が伝わるのを抑制することができる。
【００２４】
実施例の主要な要素と課題を解決するための手段の欄に記載した発明の主要な要素との対応関係について説明する。実施例では、ブラケット２０，１２０が「ブラケット」に相当し、固定部３０，１３０が「固定部」に相当し、固定用ボルト孔３３，１３３が「固定用ボルト孔」に相当し、回転防止用孔３６および回転防止用突起１３６が「回転防止部」に相当し、取付用ボルト孔２３，１２３が「取付用ボルト孔」に相当し、差し込み部２６，２６Ｂおよび挟み込み部１２６が「係合部」に相当する。
【００２５】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２６】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２７】
本発明は、ブラケットの取り付け構造の製造産業などに利用可能である。
【符号の説明】
【００２８】
２０，２０Ｂ，１２０  ブラケット、２１，１２１  支持部、２２，１２２  平面部、２３，１２３  取付用ボルト孔、２４，１２４  湾曲部、１２４ａ  第１湾曲部、１２４ｂ  第２湾曲部、２６，２６Ｂ，差し込み部、２６ａ，２６ｂ  側面、１２６  挟み込み部、１２６ａ，１２６ｂ  突起、２８  スリット、２８ａ，２８ｂ  脚部、３０，１３０  固定部、３３，１３３  固定用ボルト孔、３６  回転防止用孔、１３６  回転防止用突起、４１，１４１  ボルト、４２，１４２  ワッシャー、４３，１４３  ナット。
【図１】
2017031988.tif 000003
【図２】
2017031988.tif 000004
【図３】
2017031988.tif 000005
【図４】
2017031988.tif 000006
【図５】
2017031988.tif 000007
【図６】
2017031988.tif 000008
【図７】
2017031988.tif 000009
【図８】
2017031988.tif 000010
【図９】
2017031988.tif 000011